(57)【特許請求の範囲】
【請求項１】
底部と、該底部の一方の相対する辺部に一体的に立設された固定下部側壁部と、前記底部のもう一方の相対する辺部に一体的に立設された固定下部側壁部と
、前記底部の一方の相対する辺部に一体的に立設された固定下部側壁部と該固定下部側壁部に取り外し自在な上部引き抜き側壁部とからなる２分割側壁と、前記底部のもう一方の相対する辺部に立設された固定下部側壁部と該固定下部側壁部にヒンジ連結された中間ヒンジ連結側壁部と該中間ヒンジ連結側壁部に取り外し自在な上部引き抜き側壁部とからなる３分割側壁とを有しており、且つ、前記３分割側壁を構成する中間ヒンジ連結側壁部及び上部引き抜き側壁部には、折り畳みコンテナーが箱型に組み立てられた際に、前記２分割側壁を構成する上部引き抜き側壁部にロックされるロック部材が配設されていることを特徴とする折り畳みコンテナー。
【発明の詳細な説明】
【技術分野】
【０００１】
本発明は、平面形状が略方形状の底部と、底部を囲むように立設された４つの側壁とからなり、４つの側壁が上下方向に分割可能に構成されているとともに、分割された側壁の一部が、底部に重なるように収容可能に構成されている折り畳みコンテナーに関するものである。
【背景技術】
【０００２】
従来、所定の側壁に扉部を配設し、扉部から、物品を取り出したり、或いは、扉部から、物品を収納するようにした折り畳みコンテナーが、一例として、特許文献１に開示されている。
【０００３】
【特許文献１】特開２００４−１６８３９７号公報
【発明の開示】
【発明が解決しようとする課題】
【０００４】
上述した従来の折り畳みコンテナーにおいては、扉部が小さいために、扉部から、折り畳みコンテナーに収納されている物品を取り出す際の作業性が悪いという問題があるとともに、箱型に組み立てられた折り畳みコンテナーの所定の側壁の略全体を開放することができないために、ロボット等の自動機のハンドを、側面方向から折り畳みコンテナー内に挿入することができず、自動機による物品の取り出しができないという問題があった。
【０００５】
また、所定の側壁に扉部を配設し、扉部から、物品を取り出すように構成された従来の折り畳みコンテナーにおいては、物品が少なくなり、底部付近に位置する物品を取り出す際には、扉部が取り付けられた側壁の水平部が邪魔になり、折り畳みコンテナーからの物品の取り出し作業の作業性が悪くなるという問題があった。
【０００６】
更に、箱型に組み立てられた折り畳みコンテナーの所定の側壁を、外側（底部と反対方向）に倒して、物品を取り出すこともできるが、このように、側壁を外側に倒した場合には、外側に倒された側壁が邪魔になり、作業者が、折り畳みコンテナーに近づくことができず、折り畳みコンテナーからの物品の取り出し作業の作業性が悪いという問題があるとともに、折り畳みコンテナーの所定の側壁を外側に倒した際には、収納された物品が、外にこぼれ落ちるという問題があった。
【０００７】
本発明の目的は、上述した従来の折り畳みコンテナーが有する課題を解決することにある。
【課題を解決するための手段】
【０００８】
上述した目的を達成するために、底部と、該底部の一方の相対する辺部に一体的に立設された固定下部側壁部と、前記底部のもう一方の相対する辺部に一体的に立設された固定下部側壁部と  、前記底部の一方の相対する辺部に一体的に立設された固定下部側壁部と該固定下部側壁部に取り外し自在な上部引き抜き側壁部とからなる２分割側壁と、前記底部のもう一方の相対する辺部に立設された固定下部側壁部と該固定下部側壁部にヒンジ連結された中間ヒンジ連結側壁部と該中間ヒンジ連結側壁部に取り外し自在な上部引き抜き側壁部とからなる３分割側壁とを有しており、且つ、前記３分割側壁を構成する中間ヒンジ連結側壁部及び上部引き抜き側壁部に、折り畳みコンテナーが箱型に組み立てられた際に、前記２分割側壁を構成する上部引き抜き側壁部にロックされるロック部材を配設したものである。
【発明の効果】
【０００９】
もう一方の相対する側壁を、底部のもう一方の相対する辺部に立設され固定下部側壁部と該固定下部側壁部にヒンジ連結され、且つ、前記固定下部側壁部に重なるように配置可能な中間側壁部と該中間側壁部に引き抜き可能に配設された上部側壁部とにより構成したので、箱型に組み立てられた折り畳みコンテナーから物品を取り出す際に、中間側壁部から上部側壁部を引き抜くとともに、中間側壁部を固定下部側壁部に重なるように配置することにより、もう一方の側壁に、より大きな前面開口部を形成することができ、従って、箱型に組み立てられた折り畳みコンテナーからの物品の取り出し作業の作業性が向上する。
【００１０】
また、箱型に組み立てられた折り畳みコンテナーから物品を取り出す際に、折り畳みコンテナーの上部開口部から、もう一方の側壁の中間側壁部付近まで、物品を取り出し、次いで、もう一方の側壁の上部側壁部を、中間側壁部から引き抜いて、もう一方の側壁に開口部を形成して、該開口部から、もう一方の側壁の固定下部側壁部付近まで、物品を取り出し、その後、中間側壁部を固定下部側壁部に重なるように配置することにより、もう一方の側壁により大きな開口部を形成して、該より大きな開口部から、物品を取り出すことができるので、崩れ易い物品を、折り畳みコンテナーからこぼれ落ちるようなことなく取り出すことができる。
【００１１】
もう一方の側壁を構成する中間側壁部を、固定下部側壁部に重なるように配置することができるので、作業者が、もう一方の側壁に形成された開口部に接近して作業することができ、従って、箱型に組み立てられた折り畳みコンテナーからの物品の取り出し作業の作業性が向上する。
【００１２】
もう一方の相対する側壁を、固定下部側壁部と該固定下部側壁部に引き抜き可能に配設された中間側壁部と該中間側壁部にヒンジ連結され、且つ、前記中間側壁部に重なるように配置可能な上部側壁部とにより構成したので、箱型に組み立てられた折り畳みコンテナーから物品を取り出す際に、上部側壁部を中間側壁部に重なるように配置した後、上部側壁部が重ねられた中間側壁部を、もう一方の相対する側壁の固定下部側壁部から引き抜くことにより、もう一方の側壁に、より大きな前面開口部を形成することができ、従って、箱型に組み立てられた折り畳みコンテナーからの物品の取り出し作業の作業性が向上する。
【００１３】
また、箱型に組み立てられた折り畳みコンテナーから物品を取り出す際に、折り畳みコンテナーの上部開口部から、もう一方の側壁の中間側壁部付近まで、物品を取り出し、次いで、もう一方の側壁の上部側壁部を、中間側壁部に重なるように配置することにより、もう一方の側壁に開口部を形成して、該開口部から、もう一方の側壁の固定下部側壁部付近まで、物品を取り出し、その後、上部側壁部が重ねられた中間側壁部を、もう一方の相対する側壁の固定下部側壁部から引き抜くことにより、もう一方の側壁により大きな開口部を形成して、該より大きな開口部から、物品を取り出すことができるので、崩れ易い物品を、折り畳みコンテナーからこぼれ落ちるようなことなく取り出すことができる。
【００１４】
もう一方の側壁を構成する上部側壁部を、中間側壁部に重なるように配置することができるので、作業者が、もう一方の側壁に形成された開口部に接近して作業することができ、従って、箱型に組み立てられた折り畳みコンテナーからの物品の取り出し作業の作業性が向上する。
【００１５】
更に、側壁を３分割とすることにより、前面開口を大きくすることができ、且つ、折り畳み状態でも、組み立て時の平面サイズが大きくならず、また、高さの低いコンパクトな状態に折り畳むことができる。
【実施例】
【００１６】
以下に、本発明の実施例について説明するが、本発明の趣旨を越えない限り、何ら、本実施例に限定されるものではない。
【００１７】
図１において、１は、平面形状が方形状の底部であり、底部１の一方の相対する辺部には、固定下部側壁部２ａが、底部１と一体的に立設されているとともに、底部１のもう一方の相対する辺部にも、固定下部側壁部３ａが、底部１と一体的に立設されている。
【００１８】
図２に示されているように、上述した固定下部側壁部２ａを構成する横長の略長方形状の板状部２ａ１の上端縁には、板状部２ａ１の外面（箱型に組み立てられた折り畳みコンテナーの外側に位置する面）２ａ１’対して略垂直な上端水平フランジ２ａ２が形成されており、上端水平フランジ２ａ２の上面には、複数の嵌合凹部２ａ３が形成されている。
【００１９】
２ｂは、固定下部側壁部２ａに対して、取り外し自在な上部引き抜き側壁部であり、上部引き抜き側壁部２ｂを構成する横長の略長方形状の板状部２ｂ１の下端縁には、板状部２ｂ１の外面（箱型に組み立てられた折り畳みコンテナーの外側に位置する面）２ｂ１’対して略垂直な下端水平フランジ２ｂ２が形成されており、下端水平フランジ２ｂ２の下面には、固定下部側壁部２ａの上端水平フランジ２ａ２の上面に形成された嵌合凹部２ａ３に嵌合可能な嵌合突部２ｂ３が垂設されている。
【００２０】
上述した固定下部側壁部２ａの上端水平フランジ２ａ２の上面に形成された嵌合凹部２ａ３に、上部引き抜き側壁部２ｂの下端水平フランジ２ｂ２の下面に垂設された嵌合突部２ｂ３を嵌合させることにより、固定下部側壁部２ａに、上部引き抜き側壁部２ｂが引き抜き自在に取り付けられるように構成されている。このように、固定下部側壁部２ａと上部引き抜き側壁部２ｂとにより、一方の相対する側壁２が構成されており、以下、この側壁２を、２分割側壁と称する。
【００２１】
図１及び図３〜図５に示されているように、底部１のもう一方の相対する辺部に立設された固定下部側壁部３ａには、公知の適当なヒンジ部材Ｈ１を介して、中間ヒンジ連結側壁部３ｂがヒンジ連結されており、中間ヒンジ連結側壁部３ｂは、中間ヒンジ連結側壁部３ｂを、外側、即ち、底部１と反対方向に倒すことにより、及び、内側、即ち、底部１方向に倒すことにより、固定下部側壁部３ａに重なるように倒すことができるように構成されている。このように、中間ヒンジ連結側壁部３ｂは、固定下部側壁部３ａに対して、内側或いは外側に、適宜、選択して、重なるように倒すことできるように構成されている。
【００２２】
図５に示されているように、中間ヒンジ連結側壁部３ｂを構成する横長の略長方形状の板状部３ｂ１の上端縁には、板状部３ｂ１の外面（箱型に組み立てられた折り畳みコンテナーの外側に位置する面）３ｂ１’対して略垂直な上端水平フランジ３ｂ２が形成されており、上端水平フランジ３ｂ２の上面には、複数の嵌合凹部３ｂ３が形成されている。
【００２３】
３ｃは、中間ヒンジ連結側壁部３ｂに対して、取り外し自在な上部引き抜き側壁部であり、上部引き抜き側壁部３ｃを構成する横長の略長方形状の板状部３ｃ１の下端縁には、板状部３ｃ１の外面（箱型に組み立てられた折り畳みコンテナーの外側に位置する面）３ｃ１’対して略垂直な下端水平フランジ３ｃ２が形成されており、下端水平フランジ３ｃ２の下面には、中間ヒンジ連結側壁部３ｂを構成する上端水平フランジ３ｂ２の上面に上面に形成された嵌合凹部３ｂ３に嵌合可能な嵌合突部３ｃ３が垂設されている。
【００２４】
固定下部側壁部３ａを構成する横長の略長方形状の板状部３ａ１の上端縁に、板状部３ａ１の外面（箱型に組み立てられた折り畳みコンテナーの外側に位置する面）３ａ１’対して略垂直に形成された上端水平フランジ３ａ２と、固定下部側壁部３ａにヒンジ連結された中間ヒンジ連結側壁部３ｂの上端水平フランジ３ｂ２とが面接触するように、換言すれば、図５等に示されているように、固定下部側壁部３ａと中間ヒンジ連結側壁部３ｂとが略面一となるように、固定下部側壁部３ａの上に、中間ヒンジ連結側壁部３ｂを立て、次いで、上部引き抜き側壁部３ｃの下端水平フランジ３ｃ２の下面に垂設された嵌合突部３ｃ３を、中間ヒンジ連結側壁部３ｂの上端水平フランジ３ｂ２の上面に形成された嵌合凹部３ｂ３に嵌合させることにより、上部引き抜き側壁部３ｃが、中間ヒンジ連結側壁部３ｂに引き抜き自在に取り付けられるように構成されている。上記の固定下部側壁部３ａと中間ヒンジ連結側壁部３ｂと上部引き抜き側壁部３ｃとにより、もう一方の相対する側壁３が構成されており、以下、この側壁３を、３分割側壁と称する。
【００２５】
次に、主として、図６及び図７を用いて、中間ヒンジ連結側壁部３ｂ及び上部引き抜き側壁部３ｃに配設されたロック部材Ｅについて説明するが、以下においては、上部引き抜き側壁部３ｃに配設されたロック部材Ｅについて説明する。
【００２６】
上部引き抜き側壁部３ｃの板状部３ｃ１の垂直縁には、板状部３ｃ１の外面３ｃ１’対して略垂直な相対する側端垂直フランジ３ｃ４が形成されている。また、側端垂直フランジ３ｃ４の中程には、側端垂直フランジ３ｃ４に連接された一対の平行な上部水平区画リブ３ｃ５と下部水平区画リブ３ｃ６とが形成されており、上部水平区画リブ３ｃ５と下部水平区画リブ３ｃ６の先端部を、垂直区画リブ３ｃ７により連結することにより、上部引き抜き側壁部３ｃには、板状部３ｃ１と側端垂直フランジ３ｃ４と上部水平区画リブ３ｃ５と下部水平区画リブ３ｃ６と垂直区画リブ３ｃ７とにより区画されたロック部材配設領域Ａ１が形成されている。また、上部水平区画リブ３ｃ５の下面には、係止片３ｃ５’が垂設されており、係止片３ｃ５’と板状部３ｃ１との間には、所定の間隙が形成されている。同様に、下部水平区画リブ３ｃ６の上面には、係止片３ｃ６’が立設されており、係止片３ｃ６’と板状部３ｃ１との間には、所定の間隙が形成されている。更に、上部水平区画リブ３ｃ５と下部水平区画リブ３ｃ６との間に位置する側端垂直フランジ３ｃ４には、透孔３ｃ４’が穿設されている。
【００２７】
ロック部材Ｅは、上部水平区画リブ３ｃ５と下部水平区画リブ３ｃ６との間隔と略同じ高さを有するとともに、側端垂直フランジ３ｃ４と垂直区画リブ３ｃ７との間隔より狭い幅を有する略方形状のブロック状の本体ｅ１を有しており、ブロック状の本体ｅ１の一方の垂直端面ｅ１ａの中程には、上述した上部引き抜き側壁部３ｃの側端垂直フランジ３ｃ４に穿設された透孔３ｃ４’に挿通可能なロック突部ｅ２が突設されている。
【００２８】
上述したロック部材Ｅを、上部引き抜き側壁部３ｃに形成されたロック部材配設領域Ａ１に配設し、上部水平区画リブ３ｃ５の下面に垂設された係止片３ｃ５’と板状部３ｃ１との間に形成された間隙及び下部水平区画リブ３ｃ６の上面に立設された係止片３ｃ６’と板状部３ｃ１との間に形成された間隙に、ロック部材Ｅの本体ｅ１を配置することにより、ロック部材Ｅを、上部引き抜き側壁部３ｃに形成されたロック部材配設領域Ａ１に、水平方向に移動可能に配設することができるように構成されている。そして、図６に示されているように、ロック部材Ｅを、上部引き抜き側壁部３ｃの中央部方向に移動させることにより、換言すれば、後退させることにより、ロック部材Ｅのロック突部ｅ２が、側端垂直フランジ３ｃ４から突出しないように構成されており、また、図７に示されているように、ロック部材Ｅを、後退位置から、側端垂直フランジ３ｃ４方向に移動させることにより、換言すれば、前進させることにより、ロック部材Ｅのロック突部ｅ２が、側端垂直フランジ３ｃ４から突出するように構成されている。
【００２９】
一方、２分割側壁２を構成する上部引き抜き側壁部２ｂの板状部２ｂ１には、折り畳みコンテナーを箱型に組み立てた際に、３分割側壁３を構成する上部引き抜き側壁部３ｃに配設されたロック部材Ｅのロック突部ｅ２が挿入される凹部或いは透孔２ｂ４が形成されている。
【００３０】
上述した構成を有するロック部材Ｅは、３分割側壁３を構成する固定下部側壁部３ａにヒンジ連結された中間ヒンジ連結側壁部３ｂにも配設されており、中間ヒンジ連結側壁部３ｂに配設されたロック部材Ｅに対応して、２分割側壁２を構成する上部引き抜き側壁部２ｂの板状部２ｂ１には、上述したと同様に、折り畳みコンテナーを箱型に組み立てた際に、ロック部材Ｅのロック突部ｅ２が挿入される凹部或いは透孔２ｂ４が形成されている。即ち、２分割側壁２を構成する上部引き抜き側壁部２ｂの板状部２ｂ１の左右端部には、それぞれ、上下方向に、所定の間隔を置いて、２個ずつ、凹部或いは透孔２ｂ４が形成されている。
【００３１】
上述したように、固定下部側壁部２ａの上端水平フランジ２ａ２の上面に形成された嵌合凹部２ａ３に、上部引き抜き側壁部２ｂの下端水平フランジ２ｂ２の下面に垂設された嵌合突部２ｂ３を嵌合させることにより、固定下部側壁部２ａと上部引き抜き側壁部２ｂとからなる２分割側壁２を、底部１に対して、略垂直に配設し、また、上述したように、固定下部側壁部３ａと固定下部側壁部３ａにヒンジ連結されている中間ヒンジ連結側壁部３ｂとが略面一となるように、固定下部側壁部３ａの上に、中間ヒンジ連結側壁部３ｂを立て、次いで、中間ヒンジ連結側壁部３ｂに配設されたロック部材Ｅを、前進させて、ロック部材Ｅのロック突部ｅ２を、２分割側壁２を構成する上部引き抜き側壁部２ｂに形成された凹部或いは透孔２ｂ４に挿入することにより、中間ヒンジ連結側壁部３ｂが倒れないようにし、その後、上部引き抜き側壁部３ｃの下端水平フランジ３ｃ２の下面に垂設された嵌合突部３ｃ３を、中間ヒンジ連結側壁部３ｂの上端水平フランジ３ｂ２の上面に形成された嵌合凹部３ｂ３に嵌合させ、次いで、上部引き抜き側壁部３ｃに配設されたロック部材Ｅを、前進させて、ロック部材Ｅのロック突部ｅ２を、２分割側壁２を構成する上部引き抜き側壁部２ｂに形成された凹部或いは透孔２ｂ４に挿入することにより、３分割側壁３を、底部１に対して、略垂直に配設することにより、図１に示されているように、折り畳みコンテナーが箱型に組み立てられることになる。
【００３２】
上述したようにして、箱型に組み立てられた折り畳みコンテナーに、種々の物品が収納されることになるが、収納された物品が、例えば、野菜や果物や部品等の崩れ易い場合には、箱型に組み立てられた状態の折り畳みコンテナーの上部開口部から、適宜、収納されている物品を取り出し、３分割側壁３を構成する中間ヒンジ連結側壁部３ｂ付近まで、所定量の物品が取り出された後、相対する３分割側壁３のうちの一方の３分割側壁３の上部引き抜き側壁部３ｃに配設されたロック部材Ｅを、後退させて、ロック部材Ｅのロック突部ｅ２を、２分割側壁２を構成する上部引き抜き側壁部２ｂに形成された凹部或いは透孔２ｂ４のうち、上方に位置する凹部或いは透孔２ｂ４から排出させ、その後、上部引き抜き側壁部３ｃを上方に持ち上げて、上部引き抜き側壁部３ｃの下端水平フランジ３ｃ２の下面に垂設された嵌合突部３ｃ３を、中間ヒンジ連結側壁部３ｂの上端水平フランジ３ｂ２の上面に形成された嵌合凹部３ｂ３から排出させることにより、図３に示されているように、３分割側壁３の上部引き抜き側壁部３ｃを引き抜く。その後、上部引き抜き側壁部３ｃを取り外すことにより開口された、中間ヒンジ連結側壁部３ｂの上端水平フランジ３ｂ２の上方に位置する前面開口部Ｆ１から、適宜、収納されている物品を取り出す。
【００３３】
更に、３分割側壁３を構成する固定下部側壁部３ａ付近まで、所定量の物品が取り出された後、中間ヒンジ連結側壁部３ｂに配設されたロック部材Ｅを、後退させて、ロック部材Ｅのロック突部ｅ２を、２分割側壁２を構成する上部引き抜き側壁部２ｂに形成された凹部或いは透孔２ｂ４のうち、下方に位置する凹部或いは透孔２ｂ４から排出させ、その後、図４に示されているように、固定下部側壁部３ａにヒンジ連結されている中間ヒンジ連結側壁部３ｂを、固定下部側壁部３ａに重なるように、箱型に組み立てられた折り畳みコンテナーの外側に倒して、固定下部側壁部３ａの上端水平フランジ３ａ２の上方に、上述した前面開口部Ｆ１より、大きな前面開口部Ｆ２を形成し、この前面開口部Ｆ２から、適宜、収納されている物品を取り出す。この際、３分割側壁３を構成する中間ヒンジ連結側壁部３ｂは、固定下部側壁部３ａに重なるように折り畳まれているので、作業者が、折り畳みコンテナーに接近して、物品の取り出しを行うことができるので、３分割側壁３の高さが低くなったことと相まって、折り畳みコンテナーからの物品の取り出し作業の作業性が向上する。
【００３４】
箱型に組み立てられた折り畳みコンテナーに収納される物品が、崩れる心配のない、しかも、大きかったり、重い場合には、作業者が、折り畳みコンテナーに入り込んで作業する場合があるが、このような場合には、上述したように、相対する３分割側壁３のうちの一方の３分割側壁３を構成する上部引き抜き側壁部３ｃを上方に引き抜き、次いで、中間ヒンジ連結側壁部３ｂを、固定下部側壁部３ａに重なるように、外側に倒すことにより、大きな前面開口部Ｆ２を形成することができ、従って、物品の取り出し作業の作業性が向上するとともに、３分割側壁３を、３分割とすることにより、互いに重ねられた中間ヒンジ連結側壁部３ｂと固定下部側壁部３ａとの高さを低くすることができるので、作業者が、容易に、折り畳みコンテナーに入り込むことができる。
【００３５】
また、箱型に組み立てられた折り畳みコンテナーに収納される物品を、ロボット等の自動機を用いて、取り出す場合があるが、上述したように、上部引き抜き側壁部３ｃを上方に引き抜き、中間ヒンジ連結側壁部３ｂを、固定下部側壁部３ａに重なるように、外側に倒すことにより、大きな前面開口部Ｆ２を形成することができるので、ロボット等の自動機のハンド等を、側面方向から折り畳みコンテナー内に挿入することができるとともに、ロボット等の自動機のハンド等が、折り畳みコンテナーに当接し、その動きが制限されたり、折り畳みコンテナーが、ロボット等の自動機のハンド等により損傷するようなことを防止することができる。また、中間ヒンジ連結側壁部３ｂが、固定下部側壁部３ａに重なるように倒されているので、ロボット等の自動機を、折り畳みコンテナーに接近して配置することができるので、ロボット等の自動機の使用が制限されるようなことがない。
【００３６】
物品が、全て取り出された折り畳みコンテナーは、上述したようにして、３分割側壁３を構成する上部引き抜き側壁部３ｃを、上方に持ち上げて、上部引き抜き側壁部３ｃを、中間ヒンジ連結側壁部３ｂから引き抜き、その後、中間ヒンジ連結側壁部３ｂを、内側、即ち、底部１方向に倒して、固定下部側壁部３ａに重ねる。また、２分割側壁２を構成する上部引き抜き側壁部２ｂを、上方に持ち上げて、上部引き抜き側壁部２ｂを、固定下部側壁部２ａから引き抜く。そして、引き抜かれた上部引き抜き側壁部２ｂ及び上部引き抜き側壁部３ｃを、底部１と２分割側壁２を構成する相対する固定下部側壁部２ａと３分割側壁３を構成する相対する固定下部側壁部３ａとにより形成される、図８に示されているような、側壁収容空間部Ａ２に収容することにより、折り畳みコンテナーを、高さの低い状態に折り畳むことができるように構成されている。
【００３７】
なお、折り畳みコンテナーを箱型に組み立てた際には、図１に示されているように、２分割側壁２と分割側壁３との高さは略同じになるように構成されている。また、２分割側壁２を構成する固定下部側壁部２ａと３分割側壁３を構成する固定下部側壁部３ａとの高さは、略同じ高さに形成することもできるが、何方か、一方の高さを低くすることもできる。箱型に組み立てられた折り畳みコンテナーから物品を取り出す場合には、上述したように、３分割側壁３から取り出すので、３分割側壁３を構成する固定下部側壁部３ａを低くすることが好ましい。このように、３分割側壁３を構成する固定下部側壁部３ａを低くすることにより、折り畳みコンテナーからの物品の取り出し作業の作業性が向上する。
【００３８】
なお、上述した実施例には、３分割側壁３を構成する固定下部側壁部３ａ、中間ヒンジ連結側壁部３ｂ及び上部引き抜き側壁部３ｃのそれぞれの高さが、略同じ高さに形成されている例が示されているが、固定下部側壁部３ａと中間ヒンジ連結側壁部３ｂとが、上述したように、互いに重ねられることを条件として、固定下部側壁部３ａ、中間ヒンジ連結側壁部３ｂ及び上部引き抜き側壁部３ｃのそれぞれの高さをことなるものとすることもできる。
【００３９】
また、３分割側壁３を構成する上部引き抜き側壁部３ｃを、更に、上部引き抜き側壁部と下部引き抜き側壁部とに２分割することもできる。この場合には、上部引き抜き側壁部の下端水平フランジの下面には、上部引き抜き側壁部３ｃの下端水平フランジ３ｃ２の下面に垂設された嵌合突部３ｃ３と同様の嵌合突部が垂設されているとともに、下部引き抜き側壁部の上端水平フランジの上面には、中間ヒンジ連結側壁部３ｂの上端水平フランジ３ｂ２の上面に形成された嵌合凹部３ｂ３と同様の嵌合凹部が形成されることになる。このように、上述した３分割側壁３を、４分割に分割することもできるし、更に、上部引き抜き側壁部３ｃを、３分割以上に分割することもできる。
【００４０】
更に、上述した実施例においては、２分割側壁２を、固定下部側壁部２ａと上部引き抜き側壁部２ｂとにより構成した例が示されているが、上述した３分割側壁３を構成する固定下部側壁部３ａに、ヒンジ部材Ｈ１を介してヒンジ連結された中間ヒンジ連結側壁部３ｂとの関係のように、２分割側壁２を、固定下部側壁部２ａに、ヒンジ部材Ｈ１を介してヒンジ連結された側壁部とにより構成することもできる。この場合には、３分割側壁３を構成する引き抜かれた上部引き抜き側壁部３ｃを、底部１と２分割側壁２を構成する相対する固定下部側壁部２ａと３分割側壁３を構成する相対する固定下部側壁部３ａとにより形成される側壁収容空間部Ａ２に収容した後、２分割側壁２を構成する固定下部側壁部２ａにヒンジ連結された側壁部を、底部１方向に倒すことになる。
【００４１】
次に、図９〜図１２を用いて、本発明の折り畳みコンテナーの別の実施例について説明する。
【００４２】
上述した３分割側壁３を構成する上部引き抜き側壁部３ｃ、中間ヒンジ連結側壁部３ｂ及び固定下部側壁部３ａのうち、上部引き抜き側壁部３ｃに相当する上部側壁部３ｃ’と中間ヒンジ連結側壁部３ｂに相当する中間側壁部３ｂ’とを、中間ヒンジ連結側壁部３ｂと固定下部側壁部３ａと同様に、ヒンジ部材Ｈ１を介してヒンジ連結するとともに、中間側壁部３ｂ’の下端水平フランジ３ｂ２’の下面には、上述した上部引き抜き側壁部３ｃの下端水平フランジ３ｃ２の下面に垂設された嵌合突部３ｃ３と同様の嵌合突部３ｂ３’を垂設し、固定下部側壁部３ａの上端水平フランジ３ａ２には、嵌合突部３ｂ３’が嵌合可能な嵌合凹部３ａ３が形成されている。また、上述したロック部材Ｅは、上部側壁部３ｃ’に配設されることになる。なお、ロック部材Ｅを、上部側壁部３ｃ’に加えて、中間側壁部３ｂ’にも配設することができる。
【００４３】
固定下部側壁部２ａの上端水平フランジ２ａ２の上面に形成された嵌合凹部２ａ３に、上部引き抜き側壁部２ｂの下端水平フランジ２ｂ２の下面に垂設された嵌合突部２ｂ３を嵌合させることにより、固定下部側壁部２ａと上部引き抜き側壁部２ｂとからなる２分割側壁２を、底部１に対して、略垂直に配設し、また、中間側壁部３ｂ’の下端水平フランジ３ｂ２’の下面に垂設された嵌合突部３ｂ３’を、固定下部側壁部３ａの上端水平フランジ３ａ２に形成された嵌合凹部３ａ３に嵌合させ、次いで、中間側壁部３ｂ’にヒンジ連結されている上部側壁部３ｃ’を、中間側壁部３ｂ’と上部側壁部３ｃ’とが、略面一になるように配設ることにより、３分割側壁３を、底部１に対して、略垂直に配設することにより、図９に示されているように、折り畳みコンテナーが箱型に組み立てられることになる。
【００４４】
上述した実施例と同様に、中間側壁部３ｂ’にヒンジ連結されている上部側壁部３ｃ’を、中間側壁部３ｂ’に重なるように、外側、即ち、底部１と反対方向に倒すことにより、中間側壁部３ｂ’上方に前面開口部Ｆ１が形成され、また、重ねられた状態の上部側壁部３ｃ’と中間側壁部３ｂ’を、上方に持ち上げて、中間側壁部３ｂ’の下端水平フランジ３ｂ１’の下面に垂設された嵌合突部３ｂ３’を、固定下部側壁部３ａの上端水平フランジ３ａ２に形成された嵌合凹部３ａ３から引き抜くことにより、固定下部側壁部３ａの上端水平フランジ３ａ２の上方に、上述した前面開口部Ｆ１より、大きな前面開口部Ｆ２を形成することができるように構成されている。
【００４５】
なお、上述した底部１に代えて、一例として、特許第２５００２４８号公報に開示されているような、フォークリフトのフォーク差し込み部を有するパレットを適用することもできる。
【図面の簡単な説明】
【００４６】
【図１】図１は、本発明の折り畳みコンテナーが箱型に組み立てられた状態の斜視図である。
【図２】図２は、本発明の折り畳みコンテナーを構成する２分割側壁等の分解斜視図である。
【図３】図３は、本発明の折り畳みコンテナーが箱型に組み立てられた状態から、３分割側壁の上部側壁部が引き抜かれた状態の斜視図である。
【図４】図４は、本発明の折り畳みコンテナーが箱型に組み立てられた状態から、３分割側壁の上部側壁部が引き抜かれ、且つ、中間側壁部が倒された状態の斜視図である。
【図５】図５は、本発明の折り畳みコンテナーを構成する３分割側壁等の分解斜視図である。
【図６】図６は、本発明の折り畳みコンテナーの３分割側壁に配設されるロック部材等の正面図である。
【図７】図７は、同じく、本発明の折り畳みコンテナーの３分割側壁に配設されるロック部材等の正面図である。
【図８】図８は、本発明の折り畳みコンテナーを構成する底部、２分割側壁及び３分割側壁の分解斜視図である。
【図９】図９は、本発明の別の実施例の折り畳みコンテナーが箱型に組み立てられた状態の斜視図である。
【図１０】図１０は、図９に示されている本発明の別の実施例の折り畳みコンテナーが箱型に組み立てられた状態から、３分割側壁の上部側壁部が倒された状態の斜視図である。
【図１１】図１１は、図９に示されている本発明の別の実施例の折り畳みコンテナーが箱型に組み立てられた状態から、３分割側壁を構成する重ねられた状態の上部側壁部及び中間側壁部が引き抜かれた状態の斜視図である。
【符号の説明】
【００４７】
Ｅ・・・・・・・・・・・・・・ロック部材
Ｈ１・・・・・・・・・・・・・ヒンジ部材
１・・・・・・・・・・・・・・底部
２・・・・・・・・・・・・・・２分割側壁
２ａ・・・・・・・・・・・・・固定下部側壁部
２ｂ・・・・・・・・・・・・・上部引き抜き側壁部
３・・・・・・・・・・・・・・３分割側壁
３ａ・・・・・・・・・・・・・固定下部側壁部
３ｂ・・・・・・・・・・・・・中間ヒンジ連結側壁部
３ｃ・・・・・・・・・・・・・上部引き抜き側壁部
【図１】
0004625736.tif 000002
【図２】
0004625736.tif 000003
【図３】
0004625736.tif 000004
【図４】
0004625736.tif 000005
【図５】
0004625736.tif 000006
【図６】
0004625736.tif 000007
【図７】
0004625736.tif 000008
【図８】
0004625736.tif 000009
【図９】
0004625736.tif 000010
【図１０】
0004625736.tif 000011
【図１１】
0004625736.tif 000012